(57)【要約】【課題】難聴の高齢者が補聴器をしていなくても通常の声量で会話をすることができる会話補助具を提供する。【解決手段】円筒状の会話補助具本体１と、会話補助具本体１の一端１ａに付設された碗型の口当てクッション部材２と、会話補助具本体１の他端１ｂに付設された碗型の耳当てクッション部材３と、を備える。【選択図】図１
0003132358.tif 000002
【実用新案登録請求の範囲】
【請求項１】
円筒状の会話補助具本体（１）と、該会話補助具本体（１）の一端（１ａ）に付設された碗型の口当てクッション部材（２）と、該会話補助具本体（１）の他端（１ｂ）に付設された碗型の耳当てクッション部材（３）と、を備えたことを特徴とする会話補助具。
【請求項２】
円筒状の会話補助具本体（１）と、該会話補助具本体（１）の一端（１ａ）に付設された碗型の口当てクッション部材（２）と、該会話補助具本体（１）の他端（１ｂ）に付設された碗型の耳当てクッション部材（３）と、を備えた会話補助具であって、
上記会話補助具本体（１）を伸縮自在に構成したことを特徴とする会話補助具。
【請求項３】
円筒状の会話補助具本体（１）と、該会話補助具本体（１）の一端（１ａ）に付設された碗型の口当てクッション部材（２）と、該会話補助具本体（１）の他端（１ｂ）に付設された碗型の耳当てクッション部材（３）と、を備えた会話補助具であって、
上記会話補助具本体（１）を屈曲自在に構成したことを特徴とする会話補助具。
【考案の詳細な説明】
【技術分野】
【０００１】
本考案は、会話補助具に関する。
【背景技術】
【０００２】
従来より難聴者の会話補助具として補聴器がある（例えば、特許文献１参照）。
【０００３】
しかし、高齢の難聴者は補聴器をわずらわしく思って用いない場合が多い。また、多数の人間と会話する方法としてはメガホンがある。しかし、高齢による難聴者と会話を行う際にメガホンを用いることは適切ではない。
【特許文献１】特開平２００７−３７１８９号公報
【考案の開示】
【考案が解決しようとする課題】
【０００４】
解決しようとする課題は、高齢による難聴者と会話を行う際には介護者は大声で会話をする必要があり、非常に疲労する点である。また、騒音の激しい場所で会話する場合にも大声で会話をする必要があるため、非常に疲労する点である。
【課題を解決するための手段】
【０００５】
そこで、本考案に係る会話補助具は、円筒状の会話補助具本体と、該会話補助具本体の一端に付設された碗型の口当てクッション部材と、該会話補助具本体の他端に付設された碗型の耳当てクッション部材と、を備えたものである。
また、円筒状の会話補助具本体と、該会話補助具本体の一端に付設された碗型の口当てクッション部材と、該会話補助具本体の他端に付設された碗型の耳当てクッション部材と、を備えた会話補助具であって、上記会話補助具本体を伸縮自在に構成したものである。  また、円筒状の会話補助具本体と、該会話補助具本体の一端に付設された碗型の口当てクッション部材と、該会話補助具本体の他端に付設された碗型の耳当てクッション部材と、を備えた会話補助具であって、上記会話補助具本体を屈曲自在に構成したものである。
【考案の効果】
【０００６】
本考案の会話補助具によれば、難聴の高齢者が補聴器をしていなくても通常の声量で会話をすることができ、介護者は疲労しなくて済む。また、騒音の激しい場所でも、通常の声量で会話することができる（通常の声量で話しかけて聞いてもらうことができる）。さらに、ポケットやカバンに入れて携帯できるので、非常に便利である。
【考案を実施するための最良の形態】
【０００７】
図１は、本考案の第１の実施の形態を示す。この会話補助具は、難聴者（特に難聴の高齢者）と会話を行う際に、難聴者に話しかける人の口に口当てクッション部材２を当接ないし近接させるとともに、難聴者の耳に耳当てクッション部材３を当接ないし近接させて用いる。具体的には、円筒状の会話補助具本体１と、会話補助具本体１の一端１ａに付設された碗型の口当てクッション部材２と、会話補助具本体１の他端１ｂに付設された碗型の耳当てクッション部材３と、を備えている。会話補助具本体１は、例えば、厚紙、プラスチック等から成る。口当てクッション部材２及び耳当てクッション部材３は、例えば、口に当たっても違和感がないような柔軟なウレタンフォーム材から成るのが好ましい。会話補助具本体１と口当てクッション部材２は、例えば接着にて固定されている。会話補助具本体１と耳当てクッション部材３は、例えば接着にて固定されている。
【０００８】
会話補助具本体１の直径寸法Ｄ1 を、例えば、２cm以上４cm以下に設定するのが好適である。直径寸法Ｄ1 が下限値未満の場合、適切に難聴者に声が届かない虞れがある。また、直径寸法Ｄ1 が上限値を超える場合、全体の体積が大きくなり、携帯しづらい。会話補助具本体１の長さ寸法Ｌ0 を、15cm以上30cm以下に設定するのが好適である。長さ寸法Ｌ0 が上記範囲外にある場合、使用感が悪く、話しづらい。
【０００９】
口当てクッション部材２の最大直径寸法Ｄ2 を、４cm以上６cm以下に設定するのが好適である。最大直径寸法Ｄ2 が下限値未満の場合、口に当接させるのが困難になり、使用感が悪い。また、最大直径寸法Ｄ2 が上限値を超える場合、口当てクッション部材２の体積が大きくなり、携帯しづらい。
【００１０】
耳当てクッション部材３の最大直径寸法Ｄ3 を、４cm以上６cm以下に設定するのが好適である。最大直径寸法Ｄ3 が下限値未満の場合、耳に当接させるのが困難になり、使用感が悪い。また、最大直径寸法Ｄ3 が上限値を超える場合、耳当てクッション部材３の体積が大きくなり、携帯しづらい。
【００１１】
図２・図３は、第２の実施の形態を示す。会話補助具本体１が伸縮自在に構成されている。具体的には、会話補助具本体１が、直径が相違する３つの円筒状の筒体４から成る。会話補助具本体１を伸ばした時（図２）の最大長さ寸法Ｌ1 を15cm以上30cm以下に設定するのが好適である。最大長さ寸法Ｌ1 が上記範囲外にある場合、使用感が悪く、話しづらい。会話補助具本体１を縮めた時（図３）の最小長さ寸法Ｌ2 を５cm以上10cm以下に設定するのが好適である。最小長さ寸法Ｌ2 が最大値未満の場合、製造時に無駄な手間がかかる。また最小長さ寸法Ｌ2 が上限値を超える場合、携帯時等にコンパクトに収納することができない。その他の構成は、第１の実施の形態と同様である。
【００１２】
図４は、第３の実施の形態を示す。会話補助具本体１が屈曲自在に構成されている。具体的には、会話補助具本体１にひだ折り部５が形成されている。その他の構成は、第１の実施の形態と同様である。
【００１３】
図５は、第４の実施の形態を示す。会話補助具本体１が、伸縮自在かつ屈曲自在に構成されている。その他の構成は、第２の実施の形態及び第３の実施の形態と同様である。
【００１４】
なお、本考案は、設計変更可能であって、例えば、会話補助具本体１に口当てクッション部材２及び耳当てクッション部材３を取り付ける構造は、係止突部と被係止孔（図示省略）によるものであっても良い。
【００１５】
以上のように、本考案は、円筒状の会話補助具本体１と、会話補助具本体１の一端１ａに付設された碗型の口当てクッション部材２と、会話補助具本体１の他端１ｂに付設された碗型の耳当てクッション部材３と、を備えたので、高齢による難聴者と会話を行う際にも介護者は大声で会話をする必要がなく、長時間会話を行っても疲労しない。特に、難聴者が補聴器をしていなくても、通常の声量で会話することができる。すなわち、本考案の会話補助具によって、介護者の口と難聴者の耳が繋がるので、小声で話しても会話することができる。また、騒音の激しい場所で会話をする場合にも大声で会話をする必要がなく、非常に楽である。ポケットやカバンに入れて携帯できるので、非常に便利である。
【００１６】
また、円筒状の会話補助具本体１と、会話補助具本体１の一端１ａに付設された碗型の口当てクッション部材２と、会話補助具本体１の他端１ｂに付設された碗型の耳当てクッション部材３と、を備えた会話補助具であって、会話補助具本体１を伸縮自在に構成したので、高齢による難聴者と会話を行う際にも介護者は大声で会話をする必要がなく、長時間会話を行っても疲労しない。特に、難聴者が補聴器をしていなくても、通常の声量で会話することができる。すなわち、本考案の会話補助具によって、介護者の口と難聴者の耳が繋がるので、小声で話しても会話することができる。また、騒音の激しい場所で会話をする場合にも大声で会話をする必要がなく、非常に楽である。ポケットやカバンに入れて携帯できるので、非常に便利である。特に、会話補助具本体１を縮めた状態にしてコンパクトに収納することができる。
【００１７】
また、円筒状の会話補助具本体１と、会話補助具本体１の一端１ａに付設された碗型の口当てクッション部材２と、会話補助具本体１の他端１ｂに付設された碗型の耳当てクッション部材３と、を備えた会話補助具であって、会話補助具本体１を屈曲自在に構成したので、高齢による難聴者と会話を行う際にも介護者は大声で会話をする必要がなく、長時間会話を行っても疲労しない。特に、難聴者が補聴器をしていなくても、通常の声量で会話することができる。すなわち、本考案の会話補助具によって、介護者の口と難聴者の耳が繋がるので、小声で話しても会話することができる。また、騒音の激しい場所で会話をする場合にも大声で会話をする必要がなく、非常に楽である。ポケットやカバンに入れて携帯できるので、非常に便利である。さらに、介護者等と難聴者は（会話補助具本体１の屈曲角度を調節することにより）自由な姿勢で会話することができる。
【図面の簡単な説明】
【００１８】
【図１】本考案の第１の実施の形態を示す斜視図である。
【図２】第２の実施の形態を示す斜視図である。
【図３】斜視図である。
【図４】第３の実施の形態を示す斜視図である。
【図５】第４の実施の形態を示す斜視図である。
【符号の説明】
【００１９】
１  会話補助具本体
１ａ  一端
１ｂ  他端
２  口当てクッション部材
３  耳当てクッション部材
【図１】
0003132358.tif 000003
【図２】
0003132358.tif 000004
【図３】
0003132358.tif 000005
【図４】
0003132358.tif 000006
【図５】
0003132358.tif 000007